(57)【要約】【課題】  流体通路を形成するための溝を塑性加工やエッチング加工によってプレートに形成することなく簡単な構成で流体通路を形成することができる積層型熱交換器を提供する。【解決手段】  平板プレート２を所定間隔を置いて複数積層し、その積層された各平板プレート２間のひとつ置きに、第１の冷媒が流通する第１流体通路３と、この第１の冷媒と熱交換される第２の冷媒が流通する第２流体通路４を交互に形成してなる積層型熱交換器１であって、前記第１流体通路３及び前記第２流体通路４は、前記平板プレート２間に所定ピッチでろう付け固定された丸断面形状の線材５、５間に形成される空隙部からなる。線材５、５を使用して流体通路を形成すれば、平板プレート２に溝加工をすることなく簡単にマイクロチャンネル型の積層型熱交換器１を製造できる。【選択図】      図１
2006266576.tif 000002
【特許請求の範囲】
【請求項１】
平板プレート（２）を所定間隔を置いて複数積層し、その積層された各平板プレート（２）間のひとつ置きに、第１の冷媒が流通する第１流体通路（３）と、この第１の冷媒と熱交換される第２の冷媒が流通する第２流体通路（４）を交互に形成してなる積層型熱交換器（１）であって、
前記第１流体通路（３）及び前記第２流体通路（４）は、前記平板プレート（２）間に所定ピッチでろう付け固定された丸断面形状の線材（５）間に形成される空隙部からなる
ことを特徴とする積層型熱交換器。
【請求項２】
請求項１に記載の積層型熱交換器（１）であって、
前記第１流体通路（３）及び前記第２流体通路（４）は、断面略矩形状である
ことを特徴とする積層型熱交換器。
【請求項３】
複数本の丸断面形状をなす線材（５）を所定ピッチとして複数配列し、これら各線材（５）をろう材（６）によって織り込んで平織り物形状とする平織り工程と、
前記平織り物（７）を平板プレート（２）の上に載せ、さらにこの上に平板プレート（２）を載せ、その平板プレート（２）の上に別の平織り物（７）を、その線材（５）の向きが下の平織り物（７）の線材（５）の向きとほぼ直角となるように載せ、さらにこの上に平板プレート（２）を載せる工程を繰り返して、積層体を形成する積層体形成工程と、
前記積層体を加熱炉に入れて前記ろう材（６）を溶かし、前記線材（５）と前記平板プレート（２）を固定するろう付け工程とを備えた
ことを特徴とする積層型熱交換器の製造方法。
【請求項４】
請求項３に記載の積層型熱交換器の製造方法であって、
前記平織り物（７）を前記平板プレート（２）上に載せる際に、前記線材（５）を該平板プレート（２）にスポット溶接する
ことを特徴とする積層型熱交換器の製造方法。
【請求項５】
請求項３に記載の積層型熱交換器の製造方法であって、
前記平織り物（７）を前記平板プレート（２）上に載せる際に、前記線材（５）と対応する位置に該線材（５）の一部を嵌入させる位置決め溝（８）を該平板プレート（２）に形成しておき、その位置決め溝（８）に該線材（５）を配置させる
ことを特徴とする積層型熱交換器の製造方法。
【請求項６】
請求項３に記載の積層型熱交換器の製造方法であって、
前記平織り物（７）を前記平板プレート（２）上に載せる際に、前記各線材（５）間に嵌入する位置決め突起部（９）を該平板プレート（２）に形成しておき、その位置決め突起部（９）を各線材（５）間に挿入させる工程と、
前記ろう付け工程後に、前記位置決め突起部（９）を取り除く工程とを備える
ことを特徴とする積層型熱交換器の製造方法。
【請求項７】
請求項３に記載の積層型熱交換器の製造方法であって、
前記平織り物（７）を前記平板プレート（２）上に載せる際に、前記線材（５）と該線材（５）とで挟まれる部分と対応する該平板プレート（２）の位置にろう材（６）が濡れない濡れ防止剤（１０）を塗っておき、その濡れ防止剤（１０）が塗られた位置に、該線材（５）と線材（５）との間の空間部が対応するように平織り物（７）を載せる
ことを特徴とする積層型熱交換器の製造方法。
【請求項８】
請求項３に記載の積層型熱交換器の製造方法であって、
前記平織り工程において、丸断面形状からなるろう材（６）で前記線材（５）を織り込む
ことを特徴とする積層型熱交換器の製造方法。
【請求項９】
請求項３に記載の積層型熱交換器の製造方法であって、
前記平織り工程において、帯状形状からなるろう材（６）で前記線材（５）を織り込む
ことを特徴とする積層型熱交換器の製造方法。
【請求項１０】
請求項３に記載の積層型熱交換器の製造方法であって、
前記平織り工程において、複数配列された線材（５）の両端に断面略矩形状の端部形成バー（１１）を設ける
ことを特徴とする積層型熱交換器の製造方法。
【発明の詳細な説明】
【技術分野】
【０００１】
本発明は、例えば積層型熱交換器及びその製造方法に関し、詳細には、熱交換される異なる２種類の冷媒を流通させるそれぞれの流体通路を線材間に形成した空隙部で構成した、全く新規な構成の積層型熱交換器及びその製造方法に関する。
【背景技術】
【０００２】
第１の冷媒が流通する第１流体通路と、この第１の冷媒と熱交換される第２の冷媒が流通する第２流体通路を積層方向で交互に形成した、いわゆる積層型熱交換器の開発がなされている（例えば、特許文献１など参照）。
【０００３】
かかる特許文献１に記載の積層型熱交換器１０１は、例えば図１２及び図１３に示すように、熱交換される異なる２種類の冷媒を流通させる第１の流体通路１０２を一主面１０３ａに形成したプレート１０３と、この第１の流体通路１０２と直交する方向に形成された第２の流体通路１０４を一主面１０５ａに形成したプレート１０５とを重ね合わせ、これらを治具で固定加圧し、真空中で加熱して拡散接合することにより接合一体化される。
【０００４】
このように構成された熱交換器１０１は、上下に積層された各プレートの第１の流体通路１０２を流れる第１の冷媒と、第２の流体通路１０４を流れる第２の冷媒とが熱交換するようになっている。また、熱交換器１０１内を流れる冷媒の流体通路１０２、１０４は、その積層方向において交互に組み合わせるのが一般的である。
【特許文献１】特表２００３−５０６３０６号公報（第６頁から第８頁、図１）
【発明の開示】
【発明が解決しようとする課題】
【０００５】
ところで、この積層型熱交換器１０１においては、各層（各プレート１０３、１０５）の厚みがサブミリレベルになると、前記第１の流体通路１０２及び第２の流体通路１０４の溝加工が通常の塑性加工では困難になるので、薬剤で母材の一部を溶解して溝を形成するエッチング加工が採用される。
【０００６】
しかしながらエッチング加工では、前記第１の流体通路１０２及び第２の流体通路１０４のように断面略Ｕ字形状をなす溝を形成する場合、エッチングのばらつきによって、貫通し易く溝底の残存板厚を小さくすることができない。
【０００７】
この他、Ｕ字形状の溝ではなく貫通溝を流体通路とする積層型熱交換器もあるが、その場合は、穴間のピッチが小さくなり、穴の長手方向が長くなると非常にフラフラして一定ピッチに保つのが難しい。
【０００８】
このように、流体通路を形成する方法としてエッチング加工を使用すると、薬剤で母材を溶解することから該母材の歩留まりが悪く、しかも環境負荷も大きくなってしまう恐れがある。
【０００９】
そこで、本発明は、上記した課題を解決するために、流体通路を形成するための溝を塑性加工やエッチング加工によってプレートに形成することなく簡単な構成で流体通路を形成することができる積層型熱交換器及びその製造方法を提供することを目的とする。
【課題を解決するための手段】
【００１０】
請求項１に記載の発明は、平板プレートを所定間隔を置いて複数積層し、その積層された各平板プレート間のひとつ置きに、第１の冷媒が流通する第１流体通路と、この第１の冷媒と熱交換される第２の冷媒が流通する第２流体通路を交互に形成してなる積層型熱交換器であって、前記第１流体通路及び前記第２流体通路は、前記平板プレート間に所定ピッチでろう付け固定された丸断面形状の線材間に形成される空隙部からなることを特徴とする。
【００１１】
請求項２に記載の発明は、請求項１に記載の積層型熱交換器であって、前記第１流体通路及び前記第２流体通路は、断面略矩形状であることを特徴とする。
【００１２】
請求項３に記載の発明は、複数本の丸断面形状をなす線材を所定ピッチとして複数配列し、これら各線材をろう材によって織り込んで平織り物形状とする平織り工程と、前記平織り物を平板プレートの上に載せ、さらにこの上に平板プレートを載せ、その平板プレートの上に別の平織り物を、その線材の向きが下の平織り物の線材の向きとほぼ直角となるように載せ、さらにこの上に平板プレートを載せる工程を繰り返して、積層体を形成する積層体形成工程と、前記積層体を加熱炉に入れて前記ろう材を溶かし、前記線材と前記平板プレートを固定するろう付け工程とを備えたことを特徴とする。
【００１３】
請求項４に記載の発明は、請求項３に記載の積層型熱交換器の製造方法であって、前記平織り物を前記平板プレート上に載せる際に、前記線材を該平板プレートにスポット溶接することを特徴とする。
【００１４】
請求項５に記載の発明は、請求項３に記載の積層型熱交換器の製造方法であって、前記平織り物を前記平板プレート上に載せる際に、前記線材と対応する位置に該線材の一部を嵌入させる位置決め溝を該平板プレートに形成しておき、その位置決め溝に該線材を配置させることを特徴とする。
【００１５】
請求項６に記載の発明は、請求項３に記載の積層型熱交換器の製造方法であって、前記平織り物を前記平板プレート上に載せる際に、前記各線材間に嵌入する位置決め突起部を該平板プレートに形成しておき、その位置決め突起部を各線材間に挿入させる工程と、前記ろう付け工程後に、前記位置決め突起部を取り除く工程とを備えることを特徴とする。
【００１６】
請求項７に記載の発明は、請求項３に記載の積層型熱交換器の製造方法であって、前記平織り物を前記平板プレート上に載せる際に、前記線材と該線材とで挟まれる部分と対応する該平板プレートの位置にろう材が濡れない濡れ防止剤を塗っておき、その濡れ防止剤が塗られた位置に、該線材と線材との間の空間部が対応するように平織り物を載せることを特徴とする。
【００１７】
請求項８に記載の発明は、請求項３に記載の積層型熱交換器の製造方法であって、前記平織り工程において、丸断面形状からなるろう材で前記線材を織り込むことを特徴とする。
【００１８】
請求項９に記載の発明は、請求項３に記載の積層型熱交換器の製造方法であって、前記平織り工程において、帯状形状からなるろう材で前記線材を織り込むことを特徴とする。
【００１９】
請求項１０に記載の発明は、請求項３に記載の積層型熱交換器の製造方法であって、前記平織り工程において、複数配列された線材の両端に断面略矩形状の端部形成バーを設けることを特徴とする。
【発明の効果】
【００２０】
請求項１に記載の発明によれば、平板プレート間に所定ピッチでろう付け固定された丸断面形状の線材間に形成される空隙部を、冷媒が流通する流体通路としているので、平板プレート自体に塑性加工やエッチング加工によって溝を形成する必要が無くなると共に、平板プレートの厚みが薄くなっても流体通路を形成することができる。また、本発明によれば、線材の太さや間隔を変えることで簡単にそれら線材間に形成される空隙部の大きさを可変できるため、流体通路のピッチを広げたり狭めたり自由に流路設計することができる。
【００２１】
請求項２に記載の発明によれば、流体通路を断面矩形状とすることで、その流路を流れる冷媒の量を増やすことができ、熱交換効率を高めることが可能となる。
【００２２】
請求項３に記載の発明によれば、所定ピッチで複数配列した線材にろう材を織り込んで平織り物とし、その平織り物を平板プレートで挟んで積層体を形成し、その積層体を加熱炉で過熱してろう材を溶かせば、線材が平板プレートに固定され、各線材間に出来た空隙部が流体通路となり、平板プレートに溝加工をすることなく簡単に流体通路を形成することができる。また、本発明方法によれば、線材の配置ピッチを自由に設定することができるので、流体通路のピッチも簡単に変更できる。
【００２３】
請求項４に記載の発明によれば、平織り物を平板プレート上に載せる際に、線材を平板プレートにスポット溶接することで、当該線材が平板プレートに固定され、線材のピッチずれを防止することができ、最終的に形成される流体通路のピッチを高精度なものとすることができる。
【００２４】
請求項５に記載の発明によれば、平織り物を平板プレート上に載せる際に、線材と対応する位置に該線材の一部を嵌入させる位置決め溝を該平板プレートに形成しておき、その位置決め溝に該線材を配置させることで、当該線材が平板プレートに固定され、該線材のピッチずれを防止することができ、最終的に形成される流体通路のピッチを高精度なものとすることができる。
【００２５】
請求項６に記載の発明によれば、平織り物を平板プレート上に載せる際に、各線材間に嵌入する位置決め突起部を該平板プレートに形成しておき、その位置決め突起部を各線材間に挿入させることで、当該線材が平板プレートに位置決めされ、該線材のピッチずれを防止することができる。そして、ろう付け工程後に位置決め突起部を取り除けば、ピッチ精度の高い流体通路を形成することができる。
【００２６】
請求項７に記載の発明によれば、平織り物を平板プレート上に載せる際に、線材と該線材とで挟まれる部分と対応する該平板プレートの位置にろう材が濡れない濡れ防止剤を塗っておき、その濡れ防止剤が塗られた位置に、該線材と線材との間の空間部が対応するように平織り物を載せることで、濡れ防止剤が塗られた部分には濡れの原理でろう材同士が反発し合うことから線材の配列ピッチを高精度なものとすることができる。したがって、高精度な配列ピッチを保持した線材をその後のろう付け工程でろう付けすれば、ピッチ精度の高い流体通路を形成することができる。
【００２７】
請求項８に記載の発明によれば、平織り工程において、丸断面形状からなるろう材で線材を織り込んでいるので、ろう材の入手性が良く、且つ捩れによる撚り戻し等が少なく、線材の配列ピッチを保持させることができる。
【００２８】
請求項９に記載の発明によれば、平織り工程において、帯状形状からなるろう材で線材を織り込んでいるので、より一層線材の配列ピッチを精度良く保持させることができる。
【００２９】
請求項１０に記載の発明によれば、平織り工程において、複数配列された線材の両端に断面略矩形状の端部形成バーを設けることで、積層型熱交換器の端面に当該端部形成バーが配置されることになり、この端部形成バーによる平面部が増え、冷媒流入出用タンクを配置し易くなる。
【発明を実施するための最良の形態】
【００３０】
以下、本発明を適用した具体的な実施の形態について図面を参照しながら詳細に説明する。先ず、本発明を適用した積層型熱交換器について説明した後、その積層型熱交換器の製造方法について説明するものとする。
【００３１】
［積層型熱交換器の構成］
図１は本実施の形態の積層型熱交換器の斜視図、図２は本実施の形態の積層型熱交換器の要部拡大断面図である。
【００３２】
本実施の形態の積層型熱交換器１は、図１及び図２に示すように、平板プレート２を所定間隔を置いて複数積層し、その積層された各平板プレート２間のひとつ置きに、第１の冷媒が流通する第１流体通路３と、この第１の冷媒と熱交換される第２の冷媒が流通する第２流体通路４を交互に形成した構成とされている。
【００３３】
そして、この積層型熱交換器１では、前記平板プレート２間に所定ピッチでろう付け固定された丸断面形状の線材５、５間に形成される空隙部を、前記第１流体通路３及び第２流体通路４としている。換言すれば、上下の平板プレート２、２間に、丸断面形状の線材５を所定ピッチで複数配列し、それら平板プレート２と線材５とをろう材６でろう付け固定することで出来た線材５、５間の空隙部（空隙通路）を、第１流体通路３及び第２流体通路４としている。
【００３４】
平板プレート２及び線材５は、例えば錆などに優れるステンレス板からなる。一方、ろう材６は、線材５に後述するようにろう材が織り込まれることから容易に変形し凹みが出来て位置関係を保ちやすい軟銅（ろう材）を使用することが望ましい。
【００３５】
第１流体通路３は、所定ピッチで配列された各線材５、５間に形成されており、積層型熱交換器１の一側面から他側面に貫通する流路とされている。そして、この第１流体通路３は、その断面形状が略矩形状に形成されおり、流路断面積が充分に確保されている。そのため、この第１流体通路３には、より多くの第１の冷媒を流通させることができるようになっている。
【００３６】
第２流体通路４は、第１流体通路３に対してほぼ直角に交差する方向に形成されている。かかる第２流体通路４は、第１流体通路３と同様、所定ピッチで配列された各線材５、５間に形成されており、積層型熱交換器１の一側面から他側面に貫通する流路とされている。また、この第２流体通路４の断面形状は、第１流体通路３と同じく略矩形状とされている。
【００３７】
なお、第１流体通路３及び第２流体通路４の断面形状を略矩形状とするには、線材５の直径と配置ピッチとでろう材６の使用量を決めることで適切なフィレット形状を得ることができ、それによって通路断面を決定できる。
【００３８】
本実施の形態の積層型熱交換器１によれば、平板プレート２に塑性加工やエッチング加工で溝を形成することで流体通路を形成するのではなく、所定ピッチに配列した線材５、５間で形成される空隙部を流体通路としているので、平板プレート２の厚みが薄くなっても流体通路を形成することができる。
【００３９】
また、本実施の形態によれば、線材５の太さや間隔を変えることで簡単にそれら線材５、５間に形成される空隙部の大きさを可変できるため、流体通路のピッチを広げたり狭めたり自由に流路設計することができる。
【００４０】
また、本実施の形態によれば、流体通路を断面矩形状とすることで、その流路を流れる冷媒の量を増やすことができ、熱交換効率を高めることができる。
【００４１】
「積層型熱交換器の製造方法」
次に、上記した積層型熱交換器１の製造方法について説明する。図３は本実施の形態の積層型熱交換器を製造する工程を示すもので、線材をろう材によって織り込んで平織り物形状とする平織り工程図、図４は本実施の形態の積層型熱交換器を製造する工程を示すもので、平織り物を平板プレートの上に載せ、さらにこの上に平板プレートを載せて積層体を形成する積層体形成工程図である。
【００４２】
先ず、複数本の線材５をろう材６で織り込んで平織り物７を形成する平織り工程を行う。すなわち、図３に示すように、複数本の丸断面形状をなす線材５を所定ピッチとして複数配列した後、これら各線材５をろう材６によって織り込んで平織り物形状とした平織り物７を形成する。
【００４３】
線材５には、例えば直径１ｍｍ以下のステンレス線を使用する。ろう材６には、線材５の直径よりも小さな直径のものを使用し、例えば直径０．５ｍｍ以下の丸断面形状をなす糸状のものを使用する。かかるろう材６は、所定ピッチ間隔で配列された線材５の長手方向と略直交する方向に所定間隔を置いて複数設けられ、各線材５の一つ置きに上と下に位置するようにこれら線材５を縫うようにして編み込まれている。このように、これら複数本の線材５をろう材６で編み込むことで、各線材５の配列ピッチがある程度位置決めされる。
【００４４】
次に、上記のように形成した平織り物７と平板プレート２を交互に積層して積層体を形成する積層体形成工程を行う。すなわち、図４に示すように、平板プレート２の上に平織り物７を載せた後、各線材５をこの平板プレート２にスポット溶接する。線材５を平板プレート２にスポット溶接すれば、当該線材５が平板プレート２に固定され、線材５のピッチずれを防止することができる。
【００４５】
そして、この平織り物７の上にさらに別の平板プレート２を載せる。次に、線材５の向きが下の平織り物７の線材５の向きとほぼ直角になるように別の平織り物７を載せ、各線材５をその平板プレート２にスポット溶接した後、さらにこの上に平板プレート２を載せる。この工程を繰り返し行うことで、平織り物７と平板プレート２の積層体を形成する。
【００４６】
次に、線材５と平板プレート２を固定するろう付け工程を行う。すなわち、上記のように形成した積層体を加熱炉に入れてろう材６を溶かし、線材５と平板プレート２を固定させる。その後、積層体を冷却させることで図１に示した積層型熱交換器１が得られる。
【００４７】
このように本実施の形態の製造方法によれば、所定ピッチで複数配列した線材５にろう材６を織り込んで平織り物７とし、その平織り物７を平板プレート２で挟んで積層体を形成し、その積層体を加熱炉で過熱してろう材６を溶かせば、線材５が平板プレート２に固定され、各線材５間に出来た空隙部が流体通路（第１流体通路３及び第２流体通路４）となり、平板プレート２に溝加工をすることなく簡単に流体通路を形成することができる。
【００４８】
また、本実施の形態の製造方法によれば、線材５の配置ピッチを自由に設定することができるので、流体通路のピッチも簡単に変更できる。
【００４９】
また、本実施の形態の製造方法によれば、丸断面形状のろう材６を使用しているので、安価に流体通路を形成することができると共に、ろう材６を線材５に織り込むことで流体通路の精度を安定させることができる。
【００５０】
「その他の実施の形態」
以上、本発明を適用した具体的な実施の形態について説明したが、本発明は上述の実施の形態に制限されることなく種々の変更が可能である。
【００５１】
例えば、平織り物７を平板プレート２の上に載せる際に、図５に示すように、線材５と対応する位置に該線材５の一部を嵌入させる位置決め溝８を該平板プレート２に形成しておき、その位置決め溝８に該線材５を配置させる。
【００５２】
このように、線材５と対応する位置に該線材５の一部を嵌入させる位置決め溝８を該平板プレート２に形成しておき、その位置決め溝８に該線材５を配置させることで、当該線材５が平板プレート２に位置決めされ、該線材５のピッチずれを防止することができ、最終的に形成される流体通路（第１流体通路３及び第２流体通路４）のピッチを高精度なものとすることができる。
【００５３】
または、図６に示すように、各線材５間に嵌入する位置決め突起部９を該平板プレート２に形成しておき、その位置決め突起部９を各線材５、５間に挿入させ、ろう付け工程後に、前記位置決め突起部９を取り除くようにしてもよい。
【００５４】
位置決め突起部９には、例えばセラミックスや炭などのように、ろう付け工程の熱で母材やろう材と反応せず加熱炉から取り出したときに容易に取り除ける物を使用することが好ましい。
【００５５】
このように、各線材５間に嵌入する位置決め突起部９を該平板プレート２に形成しておき、その位置決め突起部９を各線材５間に挿入させることで、当該線材５が平板プレート２に位置決めされ、該線材５のピッチずれを防止することができる。そして、ろう付け工程後に位置決め突起部９を取り除けば、ピッチ精度の高い流体通路を形成することができる。
【００５６】
または、図７に示すように、平織り物７を平板プレート２上に載せる際に、線材５と該線材５とで挟まれる部分と対応する該平板プレート２の位置にろう材６が濡れない濡れ防止剤１０（図中斜線で示す領域）を塗っておき、その濡れ防止剤１０が塗られた位置に、該線材５と線材５との間の空間部が対応するように平織り物７を載せる。
【００５７】
このようにすれば、濡れ防止剤１０が塗られた部分には濡れの原理で線材５同士が反発し合うことから線材５の配列ピッチを高精度なものとすることができる。したがって、高精度な配列ピッチを保持した線材５をその後のろう付け工程でろう付けすれば、ピッチ精度の高い流体通路を形成することができる。
【００５８】
また、上述した実施の形態では、丸断面形状をしたろう材６を線材５に一本ずつ編み込んだが、図８に示すように、複数本のろう材６を纏めて線材５に編み込むようにしてもよい。このようにすれば、ろう材６による線材５間の隙間充填率が向上し、各線材５間の配列ピッチを高精度に保持することができる。
【００５９】
また、図９に示すように、帯状形状からなるろう材６で線材５を織り込むようにしてもよい。帯状形状からなるろう材６で線材５を織り込めば、線材５を織り込む作業も容易になるし、また、より一層線材５の配列ピッチを精度良く保持できる。
【００６０】
また、この他、図１０に示すように、平織り工程において、複数配列された線材５の両端に断面略矩形状の端部形成バー１１を設けるようにしてもよい。
【００６１】
このように、両端に端部形成バー１１を設けた平織り物７と平板プレート２を交互に積層して得られた積層型熱交換器１２は、図１１に示すように、積層体の端面に端部形成バー１１が配置されることから、この端部形成バー１１による平面部が増え、冷媒流入出用タンク１４（他面のタンクは図示を省略してある）を配置し易くなる。
【００６２】
なお、この他、図示は省略するが、平織り物７を平板プレート２上に載せる際に、櫛歯形状の位置決め治具で各線材５の端部を嵌入させるようにしてもよい。このようにすれば、線材５の配列ピッチを高精度なものとすることができる。
【図面の簡単な説明】
【００６３】
【図１】本実施の形態の積層型熱交換器の斜視図である。
【図２】本実施の形態の積層型熱交換器の要部拡大断面図である。
【図３】本実施の形態の積層型熱交換器を製造する工程を示すもので、線材をろう材によって織り込んで平織り物形状とする平織り工程図である。
【図４】本実施の形態の積層型熱交換器を製造する工程を示すもので、平織り物を平板プレートの上に載せ、さらにこの上に平板プレートを載せて積層体を形成する積層体形成工程図である。
【図５】平板プレートに位置決め溝を形成して平織り物を平板プレート上に位置決め配置させた状態を示す図である。
【図６】平板プレートに位置決め突起部を形成して平織り物を平板プレート上に位置決め配置させた状態を示す図である。
【図７】平板プレートにろう材が濡れない濡れ防止剤を所定パターンに塗って平織り物を平板プレート上に位置決め配置させた状態を示す図である。
【図８】丸断面形状をなす複数本のろう材で線材を編み込んで形成した平織り物の斜視図である。
【図９】帯状形状をなすろう材で線材を織り込んで形成した平織り物の斜視図である。
【図１０】線材の両端に断面略矩形状の端部形成バーを設けた平織り物の斜視図である。
【図１１】端部形成バーが設けられた平織り物と平板プレートを交互に積層して形成された積層型熱交換器の斜視図である。
【図１２】従来の積層型熱交換器の斜視図である。
【図１３】図１２の積層型熱交換器を構成するプレートの斜視図である。
【符号の説明】
【００６４】
１、１２…積層型熱交換器
３…第１流体通路
４…第２流体通路
５…線材
６…ろう材
７…平織り物
８…位置決め溝
９…位置決め突起部
１０…濡れ防止剤
１１…端部形成バー
１３、１４…冷媒流入出用タンク
【図１】
2006266576.tif 000003
【図２】
2006266576.tif 000004
【図３】
2006266576.tif 000005
【図４】
2006266576.tif 000006
【図５】
2006266576.tif 000007
【図６】
2006266576.tif 000008
【図７】
2006266576.tif 000009
【図８】
2006266576.tif 000010
【図９】
2006266576.tif 000011
【図１０】
2006266576.tif 000012
【図１１】
2006266576.tif 000013
【図１２】
2006266576.tif 000014
【図１３】
2006266576.tif 000015